(57)【要約】【課題】  携帯電話機の操作には、携帯電話機本体の一方の側面を親指で他方の側面を中指や人差指、薬指で押さえ掌で包み込むように持つようにして使用しているが、メールなどの文字入力も含めボタンの操作には本来支えていなければならない親指を使用するため、携帯電話機本体の保持が不安定となり滑落等の危険性があった。そこで、携帯電話機を指に装着して保持し、携帯性を損なわず操作性を向上させた保持具を提供する。【解決手段】  携帯電話機の裏面の上下両端にベルト２を係止する係着手段を一対設け、この一対の該係着手段間に保持手段としての伸縮性を有する該ベルト２を係着し、携帯電話機の裏面と該ベルト２の間に指を挿入して携帯電話機を保持する。【選択図】  図１
2006279907.tif 000002
【特許請求の範囲】
【請求項１】
ベルト２を係着する係着手段を携帯電話機裏面の上下両端付近に一対設け、該係着手段間に伸縮性を有する該ベルト２を係着したものであり、該ベルト２は指を挿入することで伸張し挿入可能とすると共に、未使用時には収縮して該係着手段間に収納されることを特徴とするベルト保持具付携帯電話機。
【請求項２】
携帯電話機の裏面カバーの上下両端付近に一対のベルト２係着手段のリング１１を具備する該裏面カバーを一体成型し、上下両該リング１１間に伸縮性を有する該ベルト２を係着することを特徴とする請求項第１項記載のベルト保持具付携帯電話機。
【請求項３】
ベルト２の端末に具備した面ファスナーで、リング１１に対して着脱自在とすると共に該ベルト２の伸縮調節を可能とすることを特徴とする請求項第１項および第２項記載のベルト保持具付携帯電話機。
【発明の詳細な説明】
【技術分野】
【０００１】  本発明は、携帯電話機の使用時の操作性や保持機能を向上させ、滑落等を防止する携帯電話機の保持具に関するものである。
【背景技術】
【０００２】  携帯電話機は、性格上屋外で使用されることも多く、またその機能上片手で操作することも多いため常に滑落等への対策や対応が必要であった。
この対応策として被服に固定した紐に携帯電話機を接続したり、ストラップを指に絡ますなどの方法を取っていたが、操作性にも影響を与えるなど十分な対応策ではなかった。【０００３】  特許文献として、接着面を有する固定部にリングを設けた保持具の固定部を携帯電話機の裏面に接着し、リングに指を通して携帯電話機を保持する技術が知られている（特許文献１参照）。【０００４】  また、携帯型端末の携帯電話機を保持し、滑り止めの手当てを具備するストラップベルトを、携帯型端末の他端に設けたストラップベルトを通す穴部と、穴部を通したストラップベルトを止めるストッパを備えた落下防止の技術が知られている（特許文献２参照）。【０００５】
【特許文献１】  実用新案登録３１０５１７０号公報
【特許文献２】  特許公開平１０−１６３６４０号公報
【発明の開示】
【発明が解決しようとする課題】
【０００６】  これは次のような問題点があった。
携帯電話機の操作には、携帯電話機本体の一方の側面を親指で他方の側面を中指や人差指、薬指で押さえ掌で包み込むように持つようにしていたが、メールなどの文字入力も含めボタンの操作には本来支えていなければならない親指を使用するため、携帯電話機本体の保持が不安定であった。【０００７】  特許文献１は、リング部を固定部に対して接続部なるもので着脱自在とするが、使用の度や必要に応じてリング部を装着しなければならず、未使用時にはリング部を別に携行しなければならないなど利便性に問題が有り、またリング部を装着した状態ではリング部自体の厚さが携帯電話機の厚さと同等またはそれ以上の突出物となり、リング自体の突出が携帯電話機の本来の携帯性を損なうという問題があった。【０００８】  特許文献２は、手全体でストラップベルトを支え携帯電話機を保持するもので、このためストラップベルト全体が携帯電話機より大きく突出するようになること伴う携帯性や、カメラ操作などでは手首全体を動かさなければならないという手首掛かる負担と操作性に問題があり、さらにストラップベルトをストッパで固定するなどの操作が必要となるなど簡便性に問題があった。【０００９】  近来、携帯電話機は高齢者にも普及し使用されるようになってきたが、握力や指の感覚が衰えてきた高齢者や手に障害のある者への保持手段の簡便性への対応が望まれていた。
本発明は、これらの課題を解決するためになされたものである。
【課題を解決するための手段】
【００１０】  携帯電話機の裏面の上下両端にベルト２を係着する係着手段を一対設け、この一対の係着手段間に保持手段としての伸縮性を有する該ベルト２を係着し、携帯電話機の裏面と該ベルト２の間に指を挿入して携帯電話機を保持する。
本発明は、以上の構成よりなるベルト保持具付携帯電話機である。
【発明の効果】
【００１１】  本発明は、中指と薬指をベルトで携帯電話機との間に挟持することで滑落等を全く意識すること無く保持できるようになり、通話やメール等で保持的な役割を担い且つ操作に使用されていた親指の保持的な役割からの完全開放が可能となる。
このため、メール等の文字入力のための親指の完全な開放は、携帯電話機での親指を多用する文字入力時の操作や、近来の携帯電話機はカメラ機能やテレビ機能等が付加され多機能化され、携帯電話機の操作や使用形態が変化する中で、手で持つ感覚から手に装着する感覚で保持が可能となると共に滑落等を意識すること無くそれらの操作に集中でき、携帯電話機の操作性と滑落に対しての安全性を向上させることができる。【００１２】  また本発明は、握力や指の感覚が衰えてきた高齢者や障害者が落下等の心配をすることなく携帯電話機を使用する環境が提供できるようになる。
【発明を実施するための最良の形態】
【００１３】  以下、本発明の実施の形態について説明する。
携帯電話機本体Ｋの裏面カバー３の上下両端に、裏面に接着面を有する支持板１２上にリング１１を一体成型した係着体１を一対固着し、両該リング１１間に保持手段としての伸縮性を有する織りゴム２１で構成されたベルト２を該リング１１の上から通し回し下方の挿入方向に出し、その端を上部該ベルト２に縫製縫合や鋲などで係合固定する。
【実施例１】
【００１４】  図３（Ａ）に示すように、軟質で丈夫な樹脂を使用した支持板１２上に、該支持板１２の両端から上部内側に向けて立ち上げ、図３（Ｂ）の端面図に示す該支持板１２との間に円柱状のリング１１を形成する係着体１を一体成型で造る。
この一体成型で造られた係着体１の支持板１２裏面を接着面として、携帯電話機本体Ｋの裏面カバー３の上下両端の中央部に一対を接着剤１３で固着する。【００１５】  図１や図２および図４に示すように、保持手段としてのベルト２全体に織りゴム２１を使用し、該ベルト２の両端をリング１１の上から通し回して下方の挿入方向に出し、その端を上部該ベルト２に鋲２５で係合固定する。
尚、上記ベルト２の両端を通し回して上部該ベルト２に係合固定するが、この係合には縫製縫合や鋲さらに可能であれば溶着接合でもよい。【００１６】  本発明を使用する時は、携帯電話機の裏面とベルト２の織りゴム２１との隙間に、掌が携帯電話機の裏面側となるように中指と薬指を押し入れるように挿入する。
次に、掌が携帯電話機本体Ｋの保持に最適位置なるように、中指と薬指が当るベルト２部分を他方の手６で調整する。【００１７】  本発明では装着感や装着のし易さが求められるが、ベルト２全体が織りゴム２１で構成され適度に伸縮するため装着感も良く、該ベルト２を幅広にすることで長時間使用しても該ベルト２が指に当たる部分が圧迫され違和感を感ずる様なことも無い。
また装着の容易性も、ベルト２の端末が下側に位置するため該ベルト２と支持板１２との厚さを加えたものが、裏面カバー３と該ベルト２間に隙間を作るのと、指の挿入に合わせベルト２が係着したリング１１に対して僅かに回転するため指の挿入をし易くする。【００１８】  本発明のようにベルト２全体を織りゴム２１で構成としたものは、伸縮性に優れるため指の挿入もし易く、未使用時には該ベルト２が収縮して携帯電話機本体Ｋ裏面の上下両係着体１間に収納されるため邪魔になることはない。【００１９】  本発明に使用する係着体１は、軟質な合成樹脂が適するが、丈夫な素材であれば比較的硬質なものでも好い。
そこで、図示せぬが裏面カバー３の製造過程で、該裏面カバー３上下両端に一対のリング１１を具備する該裏面カバー３を一体成型したものに、両該リング１１間に伸縮性を有する織りゴムで構成されたベルト２を係着してもよい。
なおこの様に、裏面カバー３にリング１１を一体成型で具備する場合、支持板１２は不要となり接着剤１３による該裏面カバー３への固着も不要となる。
さらに、携帯電話機の裏面構造に合わせたリング１１の配置設定が可能となるため、その携帯電話機に最も適したベルト構成が可能になる。
【実施例２】
【００２０】  ベルト２の一端に面ファスナー２２を使用した実施例について説明する。
図５および図６に示すように、ベルト２の一端の織りゴム２１の先端をリング１１の上から通し回して下方に出し、その端を上部該ベルト２に縫製縫合や鋲などで固定する。
次に、ベルト２の他端の織りゴム２１の先端を同一面上にフック機能とループ機能を有する面ファスナー２２と縫製縫合し、該面ファスナー２２の先端をリング１１の下から上に通し回して挿入方向に向け該面ファスナー２２同士を任意の位置で圧着係合する。
なお、面ファスナー２２と織りゴム２１との接続は縫製縫合が適するが、可能であれば溶着接合でもよい。【００２１】  当実施例は、一端を該面ファスナー２２とすることで着脱自在となるため手の指に合わせた調節が可能となる。
この長さ調節は、一度調節すれば頻繁に変更する必要はない。
なお、一方の織りゴム２１側をリング１１に通し回して固着するが、操作性の面から携帯電話機本体Ｋの上側の該リング１１側を面ファスナー２２とするのが望ましい。
また、中指や薬指に圧迫感や弛みを感ずる時は、面ファスナー部２２上部端末を一方の手６で剥離し、長さを調節して圧着係合し直す。
このように当実施例は、大人と比べ手の小さい子供等への使用に適するものである。【００２２】  本発明に使用する面ファスナーは、同一面上にフック機能とループ機能を有するものを使用するが、フック機能とループ機能に分けられた分離タイプのものと比較して強度はせん断力や係合力で劣るが、ある程度の係合面積を有すれば１００グラム前後の携帯電話機本体Ｋを保持するのに全く問題は無い。【００２３】  本発明には伸縮性に優れた織りゴムをベルト素材として使用するが、伸縮性が織りゴムと比較して劣るが、ゴム糸より強度や耐久性などの物理的特性や耐油、耐薬品などの化学的特性にも優れたポリウレタン弾性繊維をベルト素材として使用することで、当樹脂繊維の熱溶融性の良いのを利用して、ベルト同士を鋲や縫製縫合で固定する箇所を溶着接合することが容易なこともあり、織りゴムに替わり代替使用が可能な素材である。【００２４】  本発明は、指を携帯電話機本体Ｋの裏面カバー３とベルト２間に挿入することで該携帯電話機本体Ｋを保持するが、通話やメールの閲覧などでは中指と薬指を該ベルト２との間に挿入することで、人差指を補助的に使用する該携帯電話機本体Ｋの保持が可能となる。また、メールでの文字入力では親指を多用するが、図１に示すように中指と薬指をベルト２との間に挿入する使用では、携帯電話機の下部に位置するボタンに親指が届き難く操作性が良くない、そこでメールでの文字入力では人差指と中指を該ベルト２との間に挿入するようにすることで、親指が下部ボタンまで楽に届き操作し易くなり操作性が向上する。上記のように、携帯電話機の使用目的に応じてベルト２との間に挿入する指を換えたり、小指も一緒に挿入するなど自分の好みや操作に合った装着を可能とする。
さらに、携帯電話機本体Ｋの裏面カバー３の中央にベルト２を配置することで、左右どちらの手６でも装着が可能である。【００２５】  本発明は従来の携帯電話機と比べ、支持板１２やリング１１の高さとベルト２の高さを加えた分だけ携帯電話機の裏面より僅かに突出するが、該ベルト２は未使用時には携帯電話機の裏面の両係着体１間に収縮して収納されるため、バッグやポケットさらには携帯電話機専用のケース等への収納や取り出しに影響を与えることもなく、携帯性が損なわれるようなこともない。
また本発明は、ベルト２に伸縮性の良いゴムを素材とした織りゴムを使用するため手６との親和性や装着性も良く、表示部４を閉じて指を挿入した状態での携行も可能となる。【００２６】  本発明は図７に示すように、一対の係着体１間に伸縮性を有するベルト２を係着した一組のベルト構成物を、支持板１２裏面に塗布した接着剤１３で既存の携帯電話機に取り付けることも可能である。
【産業上の利用可能性】
【００２６】  近来、携帯情報端末として携帯電話機でテレビを視聴したりゲームを行ったりする機会が多くなるのに伴い、携帯電話機を手で持つことからの開放が求められるようになり、この様なニーズに対応すると共に、携帯電話機の滑落に対する安心とボタン操作の利便性を安価に提供することができ、需要が期待できるものである。
【図面の簡単な説明】
【００２７】
【図１】  本発明の使用状態を表す裏面図である。
【図２】  本発明図１の側面図である。
【図３】  本発明の説明図であり、（Ａ）は図１のＡ−Ａ′線の部分拡大断面図で、（Ｂ）は図３（Ａ）のＢ−Ｂ′線の端面図である。
【図４】  図２の円Ｅの部分拡大側面図である。
【図５】  ベルトの一端に面ファスナーを使用した実施例の裏面図である。
【図６】  図５の実施例の側面図である。
【図７】  ベルト係着手段を携帯電話機へ取り付ける状態を示す側面図である。
【符号の説明】
【００２８】    Ｋ    携帯電話機本体
１    係着体
１１  リング
１２  支持板
１３  接着剤
２    ベルト
２１  織りゴム
２２  面ファスナー
２３  面ファスナー係合面
２４  縫製縫合部
２５  鋲
３    裏面カバー
４    表示部
５    アンテナ
６    手
【図１】
2006279907.tif 000003
【図２】
2006279907.tif 000004
【図３】
2006279907.tif 000005
【図４】
2006279907.tif 000006
【図５】
2006279907.tif 000007
【図６】
2006279907.tif 000008
【図７】
2006279907.tif 000009